(57)【要約】【課題】操作者等の負担を軽くすることができ、且つセキュリティも確実に確保できる情報管理システム等を提供すること。【解決手段】操作権限情報を有する携帯型情報記録装置３０と、操作権限情報に関する情報の取得が可能である情報管理装置２０と、を有し、情報管理装置１０は、特定管理情報を有すると共に、特定管理情報の編集をするための編集部２０３と、操作権限情報の有無を確認する操作権限確認部２０２と、携帯型情報記録装置との通信状態が維持されているか否かを確認する通信状態確認部２０２とを有し、編集部は、少なくとも、操作権限の存在が確認され、通信状態が維持されていると判断されたときに、編集処理が実行可能となる情報管理システム１。【選択図】図１０
2010237845.tif 000002
【特許請求の範囲】
【請求項１】
操作者の操作権限情報を有する携帯型情報記録装置と、
前記携帯型情報記録装置から前記操作権限情報に関する情報の取得が可能である情報管理装置と、を有し、
前記情報管理装置は、特定管理情報を有すると共に、前記特定管理情報の編集をするための編集部と、
前記携帯型情報記録装置の前記操作権限情報の有無を確認する操作権限確認部と、
前記携帯型情報記録装置との通信状態が維持されているか否かを確認する通信状態確認部とを有し、
前記編集部は、少なくとも、前記操作権限確認部で前記操作権限の存在が確認され、前記通信状態確認部で前記通信状態が維持されていると判断されたときに、編集処理が実行可能となる構成となっていることを特徴とする情報管理システム。
【請求項２】
前記編集部の編集処理が開始されると編集処理中状態を示す操作識別情報が、前記携帯型情報記録装置に登録され、当該編集中に前記通信状態確認部が前記通信状態は維持されていないと判断したときは、当該編集中の前記特定管理情報を前記操作識別情報と関連付け、編集状態情報として登録する構成となっていることを特徴とする請求項１に記載の情報管理システム。
【請求項３】
前記操作識別情報が、前記携帯型情報記録装置に登録された後、当該編集中に前記通信状態確認部が前記通信状態は維持されていないと判断したときは、操作者の操作履歴情報を登録する構成となっていることを特徴とする請求項２に記載の情報管理システム。
【請求項４】
前記操作識別情報が、前記携帯型情報記録装置に登録された後、当該編集中に前記通信状態確認部が前記通信状態は維持されていないと判断したときは、前記編集部の実行が不可状態となる構成となっていることを特徴とする請求項２又は請求項３に記載の情報管理システム。
【請求項５】
前記操作識別情報が、前記携帯型情報記録装置に登録され、前記通信状態確認部が前記通信状態は維持されていると判断している状態で、前記編集部の編集処理が終了したときは、前記操作識別情報の登録が前記携帯型情報記録装置から削除されることを特徴とする請求項２乃至請求項４のいずれかに記載の情報管理システム。
【請求項６】
操作者の操作権限情報を有する携帯型情報記録装置から前記操作権限情報に関する情報の取得が可能な情報管理装置であり、
特定管理情報の編集をするための編集部と、
前記携帯型情報記録装置の前記操作権限情報の有無を確認する操作権限確認部と、
前記携帯型情報記録装置との通信状態が維持されているか否かを確認する通信状態確認部とを有し、
前記編集部は、少なくとも、前記操作権限確認部で前記操作権限の存在が確認され、前記通信状態確認部で前記通信状態が維持されていると判断されたときに、編集処理が実行可能となる構成となっていることを特徴とする情報管理装置。
【請求項７】
前記編集部の編集処理が開始されると編集処理中状態を示す操作識別情報を前記携帯型情報記録装置に登録し、当該編集中に前記通信状態確認部が前記通信状態は維持されていないと判断したときは、当該編集中の前記特定管理情報を前記操作識別情報と関連付け、編集状態情報として登録する構成となっていることを特徴とする請求項５に記載の情報管理装置。
【請求項８】
情報管理装置が操作者の操作権限情報を有する携帯型情報記録装置から前記操作権限情報に関する情報を取得する工程と
編集部が特定管理情報の編集をする工程と、
操作権限確認部が前記携帯型情報記録装置の前記操作権限情報の有無を確認する工程と、
通信状態確認部が前記携帯型情報記録装置との通信状態が維持されているか否かを確認する工程と、
前記編集部は、少なくとも、前記操作権限確認部で前記操作権限の存在が確認され、前記通信状態確認部で前記通信状態が維持されていると判断されたときに、編集処理が実行可能となる構成となっていることを特徴とする情報管理方法。
【発明の詳細な説明】
【技術分野】
【０００１】
本発明は、血糖測定装置等が取得した血糖測定情報等の情報を管理する情報管理システム、情報管理装置及び情報管理方法に関するものである。
【背景技術】
【０００２】
従来、血糖測定装置等が取得した血糖測定情報等の取り扱いに注意すべき情報を管理するコンピュータは、例えば、特許文献１のようなシステムを採用している。
このようなシステムでは、セキュリティ確保のため、当該コンピュータを操作する操作者に、自己のＩＤ（ｉｄｅｎｔｉｆｉｃａｔｉｏｎ、利用者識別）及びパスワード等の入力が求められているのが通常である。
【先行技術文献】
【特許文献】
【０００３】
【特許文献１】特開２００３−３０３２３号公報
【発明の概要】
【発明が解決しようとする課題】
【０００４】
しかし、このようなコンピュータの操作者は、データを入力する度に、自己のＩＤ及びパスワードである数字等をキーボード等で入力しなければならず、煩雑であるという問題があった。
特に、データの入力途中に操作者が急用等で入力を中止し、離席等する場合は、ログオフする必要がある。このため、操作者が再び戻って入力操作を続けようとしたときは、再びＩＤ等の数字等を入力しなければならず、業務効率が悪化するという問題もあった。
さらに、離席等する際、操作者がログオフの処理をし忘れた場合、セキュリティを確保できないという問題もあった。
【０００５】
そこで、操作者等の負担を軽くすることができ、且つセキュリティも確実に確保できる情報管理システム、情報管理装置及び情報管理方法を提供することを目的とする。
【課題を解決するための手段】
【０００６】
前記課題は、本発明によれば、操作者の操作権限情報を有する携帯型情報記録装置と、前記携帯型情報記録装置から前記操作権限情報に関する情報の取得が可能である情報管理装置と、を有し、前記情報管理装置は、特定管理情報を有すると共に、前記特定管理情報の編集をするための編集部と、前記携帯型情報記録装置の前記操作権限情報の有無を確認する操作権限確認部と、前記携帯型情報記録装置との通信状態が維持されているか否かを確認する通信状態確認部とを有し、前記編集部は、少なくとも、前記操作権限確認部で前記操作権限の存在が確認され、前記通信状態確認部で前記通信状態が維持されていると判断されたときに、編集処理が実行可能となる構成となっていることを特徴とする情報管理システムにより達成される。
【０００７】
前記構成によれば、情報管理装置の編集部は、少なくとも、操作権限確認部で操作権限の存在が確認され、通信状態確認部で通信状態が維持されていると判断されたときに、編集処理が実行可能となる構成となっている。
情報管理装置は、例えば、血糖値測定データ等の特定管理情報を例えば、追加、変更又は削除等するデータの編集処理をするとき、編集部が動作してかかる処理を実行する。
その際、前記構成では、情報管理装置の操作権限確認部が、携帯型情報記録装置の操作権限の存在を確認するだけでなく、この携帯型情報記録装置と端末装置との間で通信状態が維持されているかを、情報管理装置の通信状態確認部が判断してから、かかる編集部の編集処理が実行される構成となっている。
したがって、例えば、非接触型ＩＣカード等の携帯型情報記録装置に、操作者ＩＤやパスワード、そして、その他の編集に関する権限データ等が記録されていれば、操作者は、この携帯型情報記録装置を情報管理装置の読取装置等に配置するだけで、所定の認証手続は終了し、血糖値測定データ等の特定管理情報の編集処理を行うことができる。
このため、従来と異なり、操作者は、自己のＩＤやパスワード等の数字等を端末装置のキーボード等で入力する必要がなく、操作者等の負担を軽減できる。
また、携帯型情報記録装置に記録されている操作権限によって編集処理できる範囲を特定することもできる。
【０００８】
さらに、情報管理装置の通信状態確認部で携帯型情報記録装置との通信状態が維持されていると判断されたときに限り、情報管理装置の編集部の編集処理が可能となる。このため、例えば、操作者が編集処理の途中で端末装置をログオフ等することなく、離席等した場合でも、情報管理装置は、その後の編集処理を実行しないので、他人が当該操作者に成りすまして編集処理等することを未然に防ぐことができる。したがって、セキュリティも確実に確保することができる。
【０００９】
好ましくは、前記編集部の編集処理が開始されると編集処理中状態を示す操作識別情報が、前記携帯型情報記録装置に登録され、当該編集中に前記通信状態確認部が前記通信状態は維持されていないと判断したときは、当該編集中の前記特定管理情報を前記操作識別情報と関連付け、編集状態情報として登録する構成となっていることを特徴とする情報管理システムである。
【００１０】
前記構成によれば、情報管理装置の編集部の編集処理が開始されると編集処理中状態を示す操作識別情報が、携帯型情報記録装置に登録され、当該編集中に通信状態確認部が通信状態は維持されていないと判断したときは、当該編集中の特定管理情報を操作識別情報と関連付け、編集状態情報として登録する構成となっている。
すなわち、携帯型情報記録装置が端末装置に通信可能に配置された後、情報管理装置で編集処理が開始されると、この編集処理中状態を示す操作識別情報が、携帯型情報記録装置に登録される。そして、その後、携帯型情報記録装置が端末装置と非通信状態、すなわち、携帯型情報記録装置が外された場合は、それまで編集中であった血糖値測定データ等の特定管理情報を、操作識別情報と関連付けて、編集状態情報として登録する構成となっている。
したがって、その後、再び、同一の操作者が携帯型情報記録装置と情報管理装置を通信状態にすると、情報管理装置は、携帯型情報記録装置の操作識別情報を確認することで、前回編集中に編集処理が中断した操作者であると判断することができ、当該操作識別情報と関連付けられている当該編集中の特定管理情報を操作者に提示することができる。
そして、この際、操作者は、ＩＤやパスワード、または、前回編集中のデータの呼び出し等の煩雑な操作をすることなく、単に、携帯型情報記録装置を情報管理装置と通信状態に置くだけで済むので、極めて簡単に編集を再開等することができる。
【００１１】
好ましくは、前記操作識別情報が、前記携帯型情報記録装置に登録された後、当該編集中に前記通信状態確認部が前記通信状態は維持されていないと判断したときは、操作者の操作履歴情報を登録する構成となっていることを特徴とする情報管理システムである。
【００１２】
前記構成によれば、操作識別情報が、携帯型情報記録装置に登録された後、当該編集中に通信状態確認部が通信状態は維持されていないと判断したときは、操作者の操作履歴情報を登録する構成となっているので、その後、操作者の履歴を容易に把握することができる。
【００１３】
好ましくは、前記操作識別情報が、前記携帯型情報記録装置に登録された後、当該編集中に前記通信状態確認部が前記通信状態は維持されていないと判断したときは、前記編集部の実行が不可状態となる構成となっていることを特徴とする情報管理システムである。
【００１４】
前記構成によれば、操作識別情報が、携帯型情報記録装置に登録された後、当該編集中に通信状態確認部が通信状態は維持されていないと判断したときは、編集部の実行が不可状態となる構成となっている。
したがって、例えば、操作者が特定管理情報の編集中に急用等があり離席等するとき、誤ってログオフ等をし忘れた場合でも、権限のない他人が編集等をすることができないので、セキュリティも確実に確保することができる。
【００１５】
好ましくは、前記操作識別情報が、前記携帯型情報記録装置に登録され、前記通信状態確認部が前記通信状態は維持されていると判断している状態で、前記編集部の編集処理が終了したときは、前記操作識別情報の登録が前記携帯型情報記録装置から削除されることを特徴とする情報管理システムである。
【００１６】
前記構成によれば、操作識別情報が、携帯型情報記録装置に登録され、通信状態確認部が通信状態は維持されていると判断している状態で、編集部の編集処理が終了したときは、操作識別情報の登録が携帯型情報記録装置から削除される構成となっている。
このため、操作者が特定管理情報の編集を終了した場合は、携帯型情報記録装置の操作識別情報の登録が削除され、その後、操作者が、携帯型情報記録装置を端末装置に通信状態に置いても、自動的に前回の編集中の特定管理情報が編集状態情報として表示されることがない。
このように、編集状態と非編集状態を確実に区分して、操作者に必要な情報を提供することができる。
【００１７】
前記課題は、本発明によれば、操作者の操作権限情報を有する携帯型情報記録装置から前記操作権限情報に関する情報の取得が可能な情報管理装置であり、特定管理情報の編集をするための編集部と、前記携帯型情報記録装置の前記操作権限情報の有無を確認する操作権限確認部と、前記携帯型情報記録装置との通信状態が維持されているか否かを確認する通信状態確認部とを有し、前記編集部は、少なくとも、前記操作権限確認部で前記操作権限の存在が確認され、前記通信状態確認部で前記通信状態が維持されていると判断されたときに、編集処理が実行可能となる構成となっていることを特徴とする情報管理装置により達成される。
【００１８】
好ましくは、前記編集部の編集処理が開始されると編集処理中状態を示す操作識別情報を前記携帯型情報記録装置に登録し、当該編集中に前記通信状態確認部が前記通信状態は維持されていないと判断したときは、当該編集中の前記特定管理情報を前記操作識別情報と関連付け、編集状態情報として登録する構成となっていることを特徴とする情報管理装置である。
【００１９】
前記課題は、本発明によれば、情報管理装置が操作者の操作権限情報を有する携帯型情報記録装置から前記操作権限情報に関する情報を取得する工程と、編集部が特定管理情報の編集をする工程と、操作権限確認部が前記携帯型情報記録装置の前記操作権限情報の有無を確認する工程と、通信状態確認部が前記携帯型情報記録装置との通信状態が維持されているか否かを確認する工程と、前記編集部は、少なくとも、前記操作権限確認部で前記操作権限の存在が確認され、前記通信状態確認部で前記通信状態が維持されていると判断されたときに、編集処理が実行可能となる構成となっていることを特徴とする情報管理方法により達成される。
【発明の効果】
【００２０】
本発明は、操作者等の負担を軽くすることができ、且つセキュリティも確実に確保できる情報管理システム、情報管理装置及び情報管理方法を提供することができるという利点がある。
【図面の簡単な説明】
【００２１】
【図１】本発明に係る情報管理システムの実施の形態に係る例えば、血糖値データ管理システムを示す概略図である。
【図２】非接触型ＩＣカードの主なハードウエア構成等を示す概略図である。
【図３】端末装置等の主なハードウエア構成等を示す概略図である。
【図４】非接触型ＩＣカードの主な構成を示す概略ブロック図である。
【図５】サーバの主な構成を示す概略ブロック図である。
【図６】端末装置等の主な構成を示す概略ブロック図である。
【図７】血糖値データ管理システムの動作等を示す概略フローチャートである。
【図８】血糖値データ管理システムの動作等を示す他の概略フローチャートである。
【図９】血糖値データ管理システムの動作等を示す他の概略フローチャートである。
【図１０】血糖値データ管理システムの動作等を示す他の概略フローチャートである。
【図１１】使用者データの一例を示す概略図である。
【図１２】編集状態データを示す概略図である。
【発明を実施するための形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明に係る情報管理システムの実施の形態に係る例えば、血糖値データ管理システム１を示す概略図である。
図１においてコンピュータ等から成るサーバ１０及び端末装置２０ａ乃至２０ｃは、それぞれケーブル２等を介して通信可能に接続されている。
サーバ１０は、特定管理情報である例えば、血糖値測定データを管理しており、各端末装置２０ａ等は、このサーバ１０と接続し、かかる血糖値測定データの追加、変更、削除等の編集を行う構成となっている。
すなわち、例えば、各端末装置２０ａ等は、病院内のナースステーション等に複数、置かれ、看護師等の操作者が各端末装置２０ａ等からサーバ１０にアクセスし、サーバ１０内に格納されている血糖値測定データ等を編集等することができる構成となっている。
このため、サーバ１０及び端末装置２０ａ等が、情報管理装置の一例となっている。
なお、本実施の形態では、情報管理装置がサーバ１０と端末装置２０ａ等に分かれて構成されているが、本発明はこれに限らず、例えば、図１の１台の端末装置に血糖値測定データ等を格納し、端末装置が同時にサーバとして機能するように構成（スタンドアローン）してもよい。
【００２４】
図１に示すように、各端末装置２０ａ等は、それぞれ、携帯型情報記録装置である例えば、非接触型ＩＣカード３０からデータを読み取り又はデータを書き込むためのカードリーダ／ライタ装置２１ａ乃至２１ｃを備えている。
この非接触型ＩＣカード３０をかざすカードリーダ／ライタ装置２１ａ等から磁界を発生させておき、そこを非接触型ＩＣカード３０が通過すると、非接触型ＩＣカード３０内のアンテナコイルから電力が発生する構成となっている。そして、この電力で非接触型ＩＣカード３０のカード用ＩＣ３４等を動かし、端末装置２０ａ等のカードリーダ／ライタ２１ａ等へデータを送信するための電力を発生させる構成となっている。
【００２５】
この非接触型ＩＣカード３０は、例えば、看護師等の端末装置２０ａ等に操作者がそれぞれ保有している。非接触型ＩＣカード３０は、本発明の携帯型情報記録装置の一例であるが、カード状に限らず、その一部に非接触ＩＣの組み込まれた携帯型の装置（電話、ＰＤＡ（Ｐｅｒｓｏｎａｌ  Ｄｉｇｉｔａｌ  Ａｓｓｉｓｔａｎｔ）、検査装置など）であってもよい。
【００２６】
図２は、非接触型ＩＣカード３０の主なハードウエア構成等を示す概略図である。
図２に示すように、非接触型ＩＣカード３０は、カード側ＣＰＵ（Ｃｅｎｔｒａｌ  Ｐｒｏｃｅｓｓｉｎｇ  Ｕｎｉｔ）３１、カード側ＲＡＭ（Ｒａｎｄｏｍ  Ａｃｃｅｓｓ  Ｍｅｍｏｒｙ）３２、カード側ＲＯＭ（Ｒｅａｄ  Ｏｎｌｙ  Ｍｅｍｏｒｙ）３３、カード用ＩＣ３４、アンテナ等を含むカード側通信装置３６及びカード側入力装置３７等を有し、これらはカード側バス３８を介して配置されている。また、カード側ディスプレイ（表示部）３５が配置されてもよい。
【００２７】
また、図３は、端末装置２０ａ等の主なハードウエア構成等を示す概略図である。サーバ１０は、カードリーダ／ライタ装置２１ａ等を除き、端末装置２０ａ等とほぼ同様の構成であるため、その説明は省略する。
図３に示すように、端末装置２０ａ等は、コンピュータ等から成っているため、図２の非接触型ＩＣカード３０と同様に、端末側ＣＰＵ２２、端末側ＲＡＭ２３、端末側ＲＯＭ２４、端末側ディスプレイ（表示部）２５、端末側通信装置２６、端末側入力装置２７、ハードディスク２８及びカードリーダ／ライタ装置２１ａ等を有し、これらは、端末側バス２９を介して接続されている。
ところで、バス２９は、すべてのデバイスを接続する機能を有し、アドレスやデータパスを有する内部パスである。端末側ＣＰＵ２２は所定のプログラムの処理を行う他、端末側バス２９に接続された端末側ＲＯＭ２３等を制御している。端末側ＲＯＭ２４は、各種プログラムや各種情報等を格納している。端末側ＲＡＭ２３は、プログラム処理中のメモリの内容を対比したり、プログラムを実行するためのエリアとしての機能を有する。
【００２８】
図４は、非接触型ＩＣカード３０の主な構成を示す概略ブロック図である。図４に示すように、非接触型ＩＣカード３０には、カード側制御部３９を介して、図２に示すカード側通信装置３６及びカード側入力装置３７が接続されている。
また、図４に示す非接触型ＩＣカード３０の主なソフトウエア構成については、後述する。
【００２９】
図５は、サーバ１０の主な構成を示す概略ブロック図である。図５に示すように、サーバ１０には、サーバ側制御部１１を介して、サーバ側入力装置１２、サーバ側ディスプレイ１３及びサーバ側通信装置１４が接続されている。
また、図５に示すサーバ１０の主なソフトウエア構成については、後述する。
【００３０】
図６は、端末装置２０ａ等の主な構成を示す概略ブロック図である。図６に示すように、端末装置２０ａ等には、端末側制御部２０１を介して、カードリーダ／ライタ装置２１ａ等、端末側入力装置２７、端末側ディスプレイ２５及び端末側通信装置２６が接続されている。
【００３１】
図７乃至図１０は、血糖値データ管理システム１の動作等を示す概略フローチャートである。
以下、図７乃至図１０のフローチャートに沿って、血糖値データ管理システム１の動作等を説明しながら図４乃至図６のソフトウエア構成等について説明する。
【００３２】
本実施の形態の血糖値データ管理システム１では、看護師等の操作者（使用者）がそれぞれ非接触ＩＣカード３０を携帯しており、この非接触ＩＣカード３０には、操作者の操作権限情報である例えば、図４に示すカード内使用者データ３０１がカード内使用者データ格納部３０１内に格納されている。
図１１は、使用者データ３０１ａの一例を示す概略図である。
図１１に示すように、カード内の使用者データ３０１ａには、使用者の基礎情報として、ＩＤ、姓名、パスワード等のデータが格納されている。
また、システム情報として、システム毎の使用者の管理権限が登録されている。図１１の例では、システム情報１が、本実施の形態のシステムである血糖値データ管理システム１の使用権限に関するものであり、具体的には、この使用者は、薬剤管理権限及びシステム設定権限以外の使用者管理権限、患者管理権限、処方管理権限、処方閲覧権限、履歴閲覧権限を有することが分かる。また、操作ＩＤについては、後述する。
【００３３】
一方、図５に示すように、サーバ１０内には患者の血糖値データを格納する血糖値データ格納部１０１があり、ここに血糖値データ１０１ａが格納されている。
このため、看護師等は、このサーバ１０の血糖値データ１０１ａにアクセスして、血糖値データを追加、変更、削除等の編集を行うことになる。具体的には、各ナースセンター等に設置してある端末装置２０ａ等を介して、サーバ１０に接続することとなる。
しかし、看護師等は、多忙であるため、血糖値データの編集中に、編集作業の中断等が頻繁にあり、その際、編集中の状態で離席等するとセキュリティを確保し難くなる。
一方で、離席の都度、ログオフ等の操作を求め、さらに、再開時にＩＤ、パスワードの入力や編集中のデータの呼び出し等を求めるのでは、看護師等に煩雑な操作を求めることになり、業務効率が低下する。
そこで、本実施の形態では、看護師等に煩雑な操作等を求めることなく、編集作業の中断、再開等を円滑を行うことができる血糖値データ管理システム１となっている。
以下、具体的に説明する。
【００３４】
看護師等が端末装置２０ａの電源を入れ、血糖値データ管理システム１のサーバ１０にアクセスしようとすると、先ず、図７のＳＴ１に示すように、看護師等の非接触型ＩＣカード３０が、端末装置２０ａのカードリーダ／ライタ装置２１ａに置かれ、相互に通信を行っているか否かが判断される。
具体的には、図６のカード存否判断プログラム２０２が動作し、非接触型ＩＣカード３０の図４のカード内使用者データ３０１ａを参照する。そして、図１１の使用者基礎情報からＩＤやパスワードを確認し、システム情報１等から血糖値データ管理システム１にアクセス可能な看護師等であるか否かを判断する。
このカード存否判断プログラム２０２が、操作者権限確認部及び通信状態確認部の一例となっている。
【００３５】
ＳＴ１で、非接触型ＩＣカード３０がカードリーダ／ライタ装置２１ａに置かれ、端末装置２０ａ等と通信され、当該看護師等が血糖値データ管理システム１を使用する権限があると判断されると、看護師等は、端末装置２０ａ等からサーバ１０へアクセスが可能となり、サーバ１０の血糖値データ１０１ａにアクセスし、そのデータを図１１の権限の範囲で編集等を行うことができることなる。
具体的には、図６の編集プログラム２０３が動作して実行される。この編集プログラム２０３が、編集部の一例となっている。
【００３６】
このように、本実施の形態では、看護師等は、従来のように、自己のＩＤやパスワード等を入力することなく、自己の非接触型ＩＣカード３０をカードリーダ／ライタ装置２１ａに置くだけで、かかる認証操作が終了し、血糖値データ管理システム１を利用できるので、操作負担が軽く、操作性や利便性に優れたシステムとなる。
また、本実施の形態では、自己の非接触型ＩＣカード３０をカードリーダ／ライタ装置２１ａに置き、且つ上述の認証が終了した場合にのみ、サーバ１０の血糖値データ１０１ａの編集等が可能となる構成となっている。
【００３７】
次に、ＳＴ２で、データの編集中か否かが判断される。具体的には、図６の編集状態判断プログラム２０４が実行する。
ＳＴ２で、看護師等が端末装置２０ａを操作しているが、血糖値データ１０１ａの編集を未だ始めていないときは、図８のカードがカードリーダ／ライタ装置２１ａ等にあり、非編集状態の処理へ進む。
なお、ＳＴ１で、非接触型ＩＣカード３０がカードリーダ／ライタ装置２１ａ等にないと判断された場合は、後述する図１０のカードがカードリーダ／ライタ装置２１ａ等にない状態の処理へ進む。
【００３８】
図８は、カードがカードリーダ／ライタ装置２１ａ等にあり、非編集状態の処理を示す概略フローチャートである。
図８では、そのＳＴ１１で、非接触型ＩＣカード３０が、カードリーダ／ライタ装置２１ａ等に置かれたまま（通信状態）、すなわち、同装置２１ａから外されている（非通信状態）かを判断し、同カード３０が置かれたままの場合は、ＳＴ１２で、ＳＴ２と同様に、データ編集中、すなわち、看護師等が血糖値データ１０１ａの編集を始めたか否かを判断する。
ＳＴ１２で、編集状態判断プログラム２０４が、編集を始めたと判断した場合は、ＳＴ１３へ進む。
【００３９】
ＳＴ１３では、非接触型ＩＣカード３０への操作ＩＤの書き込み処理が行われる。
具体的には、図６のカード操作ＩＤ登録／消去プログラム２０５が動作し、同カード３０の図１１に示す操作ＩＤの欄に、例えば、「ＢＧ−２００９０２１０１」等の操作ＩＤを書き込む。
この操作ＩＤは、現在編集中の血糖値データ１０１ａと関連付けられることになる。この操作ＩＤが、操作識別情報の一例である。
【００４０】
次に、図９に示す、カードがカードリーダ／ライタ装置２１ａ等にあり、編集中状態の処理へ進む。
このとき、看護師等が急にナースコールで患者に呼ばれ、血糖値データ１０１ａの編集中に、端末装置２０ａ等から離れ、操作画面を終了させずに、同カード３０をカードリーダ／ライタ装置２１ａから外したとする。
すると、ＳＴ２１で、非接触型ＩＣカード３０が、カードリーダ／ライタ装置２１ａ等にないと判断され、ＳＴ２２へ進む。
ＳＴ２２では、編集中の内容を操作ログテーブルに記録する。具体的には、図６の端末装２０ａ等の操作ログデータ登録プログラム２０６が動作し、サーバ１０の操作ログデータ格納部１０２に操作ログデータ１０２ａとして格納される。操作ログが、操作履歴情報の一例である。
【００４１】
次いで、ＳＴ２３に進む。ＳＴ２３では、データ編集中か否かが、編集状態判断プログラム２０４で判断され、編集中の場合は、ＳＴ２４で、編集中の状態を編集状態テーブルに記録する。
具体的には、図６の編集状態記録プログラム２０７が動作し、編集中のデータを図５のサーバ１０の編集状態データ格納部１０３に編集状態データ１０３ａとして格納する。
図１２は、編集状態データ１０３ａを示す概略図である。
図１２に示すように、編集中データは、操作ＩＤと関連付けられて登録される。
この編集状態データ１０３ａが、編集中の特定管理情報を操作識別情報と関連付けて編集状態として登録される一例となっている。
すなわち、看護師等が途中で編集を中断した血糖値データは、編集状態データ１０３ａの編集中データとして、操作ＩＤと関連付けて登録される。
【００４２】
次に、ＳＴ２５へ進む。ＳＴ２５では、編集中状態で操作不可とする。具体的には、図６の状態保持操作不可実行プログラム２０８が動作して、以後、編集中の血糖値データ１０１ａは、編集不可状態となる。
このように、看護師等が端末装置２０ａ等での編集を急遽中断し、非接触型ＩＣカード３０をカードリーダ／ライタ装置２１ａから取り外して離席すれば、特に、ログオフ等の操作をしなくても、端末装置２０ａ等は、自動的に編集中のデータを操作ＩＤと関連付けて、編集状態データ格納部１０３に格納すると共に、以後、当該血糖値データの編集は、権限がなければ不可となる。
したがって、権限のない他人が血糖値データを編集等するという危険を回避でき、セキュリティも確保できる。また、看護師等は、その都度ログオフ等の操作をする必要がないので、操作性が向上することとなる。
状態保持操作不可実行プログラム２０８が、編集部の実行が不可状態となる構成の一例である。
【００４３】
また、図９のＳＴ２３で、データの編集中でない場合は、ＳＴ２４は、実行されず、ＳＴ２５が実行される。
【００４４】
次いで、カードがカードリーダ／ライタ装置２１ａ等にない状態の処理へ進む。
図１０は、カードがカードリーダ／ライタ装置２１ａ等にない状態の処理を示す概略フローチャートである。
図１０のＳＴ３１で、カードリーダ／ライタ装置２１ａ等と非接触型ＩＣカード３０が通信状態となったか否かが判断される。
同カード３０がカードリーダ／ライタ装置２１ａ等と通信状態にならなければ、端末装置２０を介して、血糖値データ管理システム１にアクセスできないので、同カード３０を所持しない他人が端末装置２０ａ等を操作して、血糖値データ１０１ａを編集等することができず、セキュリティが確保されることなる。
このように、本実施の形態では、看護師等は、非接触ＩＣカード３０をカードリーダ／ライタ装置２１ａ等と通信状態に置くだけで、血糖値データ管理システム１にアクセスし、また、同カード３０をカードリーダ／ライタ装置２１ａ等と非通信状態にするだけで、ログオフ等することなく、セキュリィが確保されるので、極めて使い易いシステムとなっている。
【００４５】
次に、看護師等が患者の処置を終え、ナースセンターに戻り、途中で中断していた血糖値データ１０１ａの入力をしようと、端末装置２０ａ等の前に座り、自己の非接触型カード３０を、カードリーダ／ライタ装置２１ａ等と通信状態にしたとする。
すると、ＳＴ３１で、同カード３０が、カードリーダ／ライタ装置２１ａ等と通信状態なったと判断し、ＳＴ３２へ進む。
ＳＴ３２では、ユーザの使用権限をチェックする。
具体的には、図６のユーザ使用権限チェックプログラム２０８が動作し、カードリーダ／ライタ装置２１ａ等と通信状態にある非接触型ＩＣカード３０のカード内使用者データ３０１ａを参照し、図１１の使用者基礎情報やシステム情報を確認し、当該カード３０の使用者である看護師等が、血糖値データ管理システム１にアクセスする権限があるか否かをチェックし、権限がある場合は、ＳＴ３３へ進む。
ＳＴ３３では、同カード３０に操作ＩＤが登録されているか否かを判断する。
具体的には、図６の操作ＩＤ確認プログラム２０９が実行し、図１１の操作ＩＤの欄に操作ＩＤが登録されているか否かを判断する。
【００４６】
ＳＴ３３で、操作ＩＤが登録されている場合は、前回、編集途中で中断したと判断できるので、ＳＴ３４で、前回編集の継続実施確認ウインドウを端末装置２０ａの端末側ディスプレイ２５に表示する。
具体的には、図６の前回編集の継続実施確認ウインドウ表示／非表示プログラム２１０が動作する。
看護師等の使用者は、この表示を見て、続いて編集作業を実行するか否かの意思表示をする。具体的には、図６の端末側入力装置２７を操作する。
【００４７】
次いで、ＳＴ３５で入力待ちをし、ＳＴ３６で、継続編集のボタンが押されたか否かを判断する。具体的には、図６の継続編集確認プログラム２１１が確認する。
ＳＴ３６で、看護師等が継続編集を希望する場合は、ＳＴ３７で、編集の継続実施確認ウインドウが端末側ディスプレイ２５から消える。
そして、ＳＴ３８で編集状態テーブルから操作ＩＤと対応するレコードを検索し、編集画面を表示する。
具体的には、図６の編集画面表示プログラム２１２が動作し、図１２の編集状態データ１０３ａの当該操作ＩＤに対応する編集中データを検索し、その編集中データを端末側ディスプレイ２５に表示し、血糖値データ１０１ａの編集を可能な状態とする。
【００４８】
このように、本実施の形態では、途中で血糖値データ１０１ａの編集を中断した看護師等は、その編集を再開する場合、単に、自己の非接触型ＩＣカード３０を、カードリーダ／ライタ装置２１ａに置き、通信状態にし、継続実施確認ウインドウを見て、継続編集のボタンを押すだけで、前回編集中のデータが端末側ディスプレイ２５に表示され、直ぐに編集を再開することができる。
したがって、従来に比べ極めて簡単に編集を再開でき、業務効率を著しく向上させることができる。
次いで、図９に示す、カードがカードリーダ／ライタ装置２１ａ等にあり、編集中状態の処理が実行される。
【００４９】
図９のＳＴ２１では、同カード３０が、カードリーダ／ライタ装置２１ａ等と通信状態か否かが判断され、通信状態と判断されれば、ＳＴ２６で、編集中を抜けたか否かが判断される。
具体的には、図６の編集終了判断プログラム２１３が動作し、血糖値データ１０１ａの編集が終了した否かが判断される。
ＳＴ２６で、編集が終了したと判断された場合、ＳＴ２７で、同カード３０に登録されている操作ＩＤの消去処理が実行される。具体的には、図６のカード操作ＩＤ登録／消去プログラム２０５が実行する。これで、編集中のデータがないことが明確となる。
【００５０】
次いで、編集状態テーブルの対応するレコードの削除フラグ（図１２参照）を“偽”に変更し、図８に示す、カードがカードリーダ／ライタ装置２１ａ等にあり、非編集状態の処理へ進む。
【００５１】
その後、看護師等が血糖値データ１０１ａの編集が終わったので、ログオフ等をせず、そのまま、端末装置２０ａの前を離席すると共に、同カード３０をカードリーダ／ライタ装置２１ａ等から外して持ち去った場合は、以下のようになる。
すなわち、図８のＳＴ１１で、カードがカードリーダ／ライタ装置２１ａ等にない（非通信状態）と判断され、その状態を保持したまま操作不可とされる。
具体的には、図６の状態保持操作不可実行プログラム２０８が動作して、権限のない他人が端末装置２０ａから血糖値データ管理システム１にアクセスできない状態となる。
したがって、看護師等が同カード３０を持ち去るだけで、セキュリティが確保される。
【００５２】
一方、図１０のＳＴ３６で、看護師等が継続編集を希望しない場合は、ＳＴ３９で、同カード３０の操作ＩＤの消去処理を実施し、ＳＴ４０で、編集状態テーブル（データ）１０３ａの対応するレコードの削除フラグを“偽”に変更する。
【００５３】
次いで、ＳＴ４１で、ユーザ権限によって決められた初期画面が表示される。具体的には、初期画面表示プログラム２１３が実行する。
次いで、図８に示す、カードがカードリーダ／ライタ装置２１ａ等にあり、非編集状態の処理へ進む。
【００５４】
ところで、ＳＴ３３で、同カード３０に操作ＩＤが登録されていない場合は、ＳＴ４２に進み、システムは編集中状態で操作不可であったか否かが判断される。
これは、例えば、図９のＳＴ２５の状態であったか否かを判断する。具体的には、図６の編集中操作不可状態判断プログラム２１４が動作して実行する。
ＳＴ４２でＹＥＳの場合は、当該非接触型ＩＣカード３０の所持者は、血糖値データ１０１ａの編集処理をしていなかったが、他の看護師等がかかる編集を実行していたことになる。
例えば、血糖値データ１０１ａの編集等は、複数の権限を有する看護師等が分担をして、編集を実施することがあり、この場合、他の看護師等の編集の後、これを引き継いで他の看護師等が続けて編集を行うことがあり、これは効率的な方法となっている。
【００５５】
そこで、本実施の形態では、ＳＴ４３で、ユーザにその作業を行う権限があるか否かが判断される。
すなわち、図６のユーザ使用権限チェックプログラム２０８が動作し、非接触型ＩＣカード３０の図１１の使用者データ３０１ａの権限を参照して、当該データの編集権限があるか否かを判断する。
ＳＴ４３で、作業権限があると判断された場合、ＳＴ４４で、継続編集確認ウインドウが表示される。
具体的には、継続編集実施確認ウインドウ表示／非表示プログラム２１５が動作し、端末装置２０ａ等の端末側ディスプレイ２５に、かかる表示がなされる。
端末装置２０ａ等の使用者である看護師等がこの表示を見て、端末側入力装置２７を使用して継続編集を実施するか否かの意思表示をすることになる。
【００５６】
ＳＴ４６では、その入力を待ち、ＳＴ４６で継続編集のボタンが押されると、ＳＴ４７で編集の継続実施確認ウインドウが端末側ディスプレイ２５から消える。
そして、ＳＴ４８で、端末側ディスプレイ２５に、当該編集中画面を表示し、操作可能状態とする。これは図６の編集画面表示プログラム２１２等が実行する。
これにより、看護師等は、他の看護師等が編集中の血糖値データ１０１ａの編集を引き続いて実行できるので、効率よく血糖値データ１０１ａの編集作業ができる。
【００５７】
次いで、当該看護師等の使用者の非接触型ＩＣカード３０の使用者データ３０１ａの操作ＩＤにデータの書き込み処理が実行される。
これで、次回から同カード３０をカードリーダ／ライタ装置２１ａに通信状態に配置するだけで、今回の編集中のデータが自動的に端末側ディスプレイ２５に表示され、編集可能な状態となり、編集が迅速に行われることになる。
【００５８】
次いで、図８に示す、カードがカードリーダ／ライタ装置２１ａ等にあり、非編集状態の処理へ進む。
【００５９】
一方、ＳＴ４６で、継続編集を希望しない場合は、ＳＴ５０へ進み、編集の継続実施確認ウインドウを消去し、ＳＴ５１で、編集中画面を非表示とし、ＳＴ５２で、ユーザ権限によって決められた初期画面が端末装置２０ａ等の端末側ディスプレイ２５に表示される。
次いで、図１０のカードがカードリーダ／ライタ装置２１ａ等にない状態の処理へ進む。
また、ＳＴ４３で、ユーザにその作業を行う権限がなければ、ＳＴ５１へ進み、ＳＴ４２で、編集中状態で操作不可でなければ、ＳＴ５２へ進む。
【００６０】
本発明は、上述の各実施の形態に限定されない。本実施の形態と異なり、編集中のデータと関連するデータが他のユーザによって編集されていた場合は、その旨を端末装置等に表示し、図１０のＳＴ３８等の継続編集を不可とする構成としても良い。
また、患者の観察記録等の追記型のメモなどについても、継続編集の確認画面（ＳＴ３４）等を表示せずに追記ができる構成としても良い。
この追記型のメモは入力したユーザー（使用者、操作者）によって、登録されたデータの文字色を変更することで、入力者の判別を容易する構成としても良い。
【符号の説明】
【００６１】
１・・・血糖値データ管理システム、２・・・ケーブル、１０・・・サーバ、１１・・・サーバ側制御部、１２・・・サーバ側入力装置、１３・・・サーバ側ディスプレイ、１４・・・サーバ側通信装置、２０ａ、２０ｂ、２０ｃ・・・端末装置、２１ａ、２１ｂ、２１ｃ・・・カードリーダ／ライタ装置、２２・・・端末側ＣＰＵ、２３・・・端末側ＲＡＭ、２４・・・端末側ＲＯＭ、２５・・・端末側ディスプレイ（表示部）、２６・・・端末側通信装置、２７・・・端末側入力装置、２８・・・ハードディスク、２９・・・端末側バス、３０・・・非接触型ＩＣカード、３１・・・カード側ＣＰＵ、３２・・・カード側ＲＡＭ、３３・・・カード側ＲＯＭ、３４・・カード用ＩＣ、３５・・・カード側ディスプレイ（表示部）、３６・・・カード側通信装置、３７・・・カード側入力装置、３８・・・カード側バス、３９・・・カード側制御部、１０１・・・血糖値データ格納部、１０２・・・操作ログデータ格納部、１０３・・・編集状態データ格納部、２０１・・・端末側制御部、２０２・・・カード存否判断プログラム、２０３・・・編集プログラム、２０４・・・編集状態判断プログラム、２０５・・・カード操作ＩＤ登録／消去プログラム、２０６・・・操作ログデータ登録プログラム、２０７・・・編集状態記録プログラム、２０８・・・状態保持操作不可実行プログラム、２０９・・・操作ＩＤ確認プログラム、２１０・・・前回編集の継続実施確認ウインドウ表示／非表示プログラム、２１１・・・継続編集確認プログラム、２１２・・・編集画面表示プログラム、２１３・・・編集終了判断プログラム、２１４・・・編集中操作不可状態判断プログラム、２１５・・・継続編集実施確認ウインドウ表示／非表示プログラム、３０１・・・使用者データ格納部
【図１】
2010237845.tif 000003
【図２】
2010237845.tif 000004
【図３】
2010237845.tif 000005
【図４】
2010237845.tif 000006
【図５】
2010237845.tif 000007
【図６】
2010237845.tif 000008
【図７】
2010237845.tif 000009
【図８】
2010237845.tif 000010
【図９】
2010237845.tif 000011
【図１０】
2010237845.tif 000012
【図１１】
2010237845.tif 000013
【図１２】
2010237845.tif 000014